(57)【要約】【課題】操作キーを少なくして表示操作部の構成をシンプルにし、動作に応じて制御可能な項目を選択的に教示して、操作キーの操作ミスを防止できるインターホン親機を提供する。【解決手段】表示操作部１は、複数のファンクションキー２Ａ〜２Ｃと、これに対応させた機能表示部３Ａ〜３Ｃとを設けており、制御手段は、通話釦が操作されたときには、機能表示部３Ａ〜３Ｃに呼出通話の可能な機能項目を一覧表示し、次いで、それらのうちから１つの機能項目が選択された後は、選択された機能項目に対応した呼出先の通信端末器を呼出制御するとともに呼出先を表示させる一方、システム内の通話端末器から呼出を受けたときには、呼出元を表示するとともに、その呼出に対して実行可能な制御項目を機能表示部３Ａ〜３Ｃに表示させるようにしている。【選択図】図１
2007251804.tif 000002
【特許請求の範囲】
【請求項１】
システムを構成する通話端末器との間で、相手側を呼出して相互通話をする呼出通話、相手側からの呼出に応答して相互通話をする応答通話を実行するための制御手段と、通話釦と、表示操作部とを備えたインターホン親機であって、
上記表示操作部は、複数のファンクションキーと、これに対応させた機能表示部とを設けており、
上記制御手段は、上記通話釦が操作されたときには、少なくとも、上記機能表示部に呼出通話の可能な機能項目を一覧表示し、次いで、それらのうちから１つの機能項目が選択された後は、選択された機能項目に対応した呼出先の通信端末器を呼出制御するとともに呼出先を表示させる一方、
システム内の上記通話端末器から呼出を受けたときには、少なくとも、呼出元を表示するとともに、その呼出に対して実行可能な制御項目を上記機能表示部に表示させるようにしているインターホン親機。
【請求項２】
請求項１において、
システム内の上記通話端末器として、共同玄関に設置されたロビーインターホンと電気錠とを含んでおり、
上記制御手段は、上記ロビーインターホンから呼出を受けたときには、上記表示操作部に、ロビーインターホンを呼出元として表示するとともに、上記機能表示部に、制御可能な項目として解錠を表示させるインターホン親機。
【請求項３】
請求項１において、
システム内の上記通話端末器として、管理センターに設置された警報監視盤、室内機、玄関先に設置されたドアホン子器を含んでおり、
上記制御手段は、通話釦の操作を受付けたときには、上記機能表示部に、呼出先として警報監視盤、室内機、ドアホン子器を表示するインターホン親機。
【請求項４】
請求項１において、
上記制御手段は、システム内の上記通話端末器と通話を開始した後は、実行可能な制御項目として、音量、お引取りを上記機能表示部に表示するインターホン親機。
【請求項５】
請求項１〜４のいずれかに記載のインターホン親機を含んだ、集合住宅用インターホンシステム。
【発明の詳細な説明】
【技術分野】
【０００１】
本発明は、インターホン親機、集合住宅用インターホンシステムの改良に関する。
【背景技術】
【０００２】
この種の集合住宅用インターホンシステムは、下記特許文献１に示すように、インターホン親機は、システムを構成する通話端末器との間で、相手側を呼出して相互通話をする呼出通話、相手側からの呼出に応答して相互通話をする機能を備えている。
【特許文献１】特開２００２−２５２７１２号公報
【発明の開示】
【発明が解決しようとする課題】
【０００３】
しかしながら、この種の従来の集合住宅用インターホンシステムでは、インターホン親機には、呼出通話の相手先や、制御項目毎に操作キーを配列している。
【０００４】
また、セキュリティーセンサを接続付加して防犯システムを構成するものでは、防犯システムをセット、リセットするための暗証番号入力キーなどの操作キーを設けている。
従って、機能が増加すればそれだけ操作キーを増加させる必要があり、インターホン親機における操作キーの設置スペースの確保を行う必要があり、また、操作キーの操作ミスをするおそれもあった。
【０００５】
本発明は、このような事情を考慮して提案されるものであり、操作キーの数を少なくしてコンパクトに設置しつつ、インターホン親機の動作変化に応じて制御可能な項目を操作者に教示して、操作キーの操作ミスを防止できるインターホン親機、及びこれを使用した集合住宅用インターホンシステムを提供することを目的とする。
【課題を解決するための手段】
【０００６】
上記目的を達成するため、請求項１では、システムを構成する通話端末器との間で、相手側を呼出して相互通話をする呼出通話、相手側からの呼出に応答して相互通話をする応答通話を実行するための制御手段と、通話釦と、表示操作部とを備えたインターホン親機であって、表示操作部は、複数のファンクションキーと、これに対応させた機能表示部とを設けており、制御手段は、通話釦が操作されたときには、少なくとも、機能表示部に呼出通話の可能な機能項目を一覧表示し、次いで、それらのうちから１つの機能項目が選択された後は、選択された機能項目に対応した呼出先の通信端末器を呼出制御するとともに呼出先を表示させる一方、システム内の通話端末器から呼出を受けたときには、少なくとも、呼出元を表示するとともに、その呼出に対して実行可能な制御項目を機能表示部に表示させるようにしている。
【０００７】
請求項２では、システム内の通話端末器として、共同玄関に設置されたロビーインターホンと電気錠とを含んでおり、制御手段は、ロビーインターホンから呼出を受けたときには、表示操作部に、ロビーインターホンを呼出元として表示するとともに、機能表示部に、制御可能な項目として解錠を表示させる。
【０００８】
請求項３では、システム内の通話端末器として、管理センターに設置された警報監視盤、室内機、玄関先に設置されたドアホン子器を含んでおり、  制御手段は、通話釦の操作を受付けたときには、機能表示部に、呼出先として警報監視盤、室内機、ドアホン子器を表示する。
【０００９】
請求項４では、制御手段は、システム内の通話端末器と通話を開始した後は、実行可能な制御項目として、音量、お引取りを機能表示部に表示する。
【００１０】
請求項５では、請求項１〜４のいずれかに記載のインターホン親機を含んでいる。
【発明の効果】
【００１１】
本発明の請求項１によれば、通話釦を操作すれば、機能表示部に呼出通話の可能な機能項目を一覧表示し、いずれかの機能項目が選択された後は、選択された機能項目に対応した呼出先の通話端末器を呼出制御し、呼出先を表示するので、呼出通話の機能項目に応じた操作キーをコンパクトに設置しつつ、操作者に対して、呼出通話の際に実行可能な機能項目を誘導表示して、操作ミスを防止することができる。
【００１２】
また、通話端末器から呼出を受けたときには、呼出に対して実行可能な制御項目を機能表示部に表示するので、操作者に対して、応答通話の際に実行可能な制御項目を誘導表示して、操作ミスを防止することができる。
【００１３】
更に、以上のような動作をなすので、操作キーや表示部の構成を簡易化でき、外観がシンプルで使い勝手がよい。
【００１４】
請求項２によれば、ロビーインターホンからの呼出があったときには、操作表示部にロビーインターホンを呼出元として表示するとともに、機能表示部に実行可能な制御項目として解錠を表示させるので、ロビーインターホンからの呼出であることが一目で確認できるとともに、解錠以外の不要な操作を誤って行うことが防止できる。
【００１５】
請求項３によれば、呼出通話をする際に通話釦の操作をすれば、呼出可能な機能項目として、管理、室内機、玄関を表示するので、操作者は、呼出先キーがどこにあるのか見つけてから操作する必要がなく、呼出先をすぐに見つけて呼出できる。
【００１６】
請求項４によれば、システム内の通話端末器と通話を開始した後は、実行可能な制御項目として、音量、お引き取りを表示するので、使い慣れている者でも、制御項目を教示できるので、操作ミスを少なくできる。
【００１７】
請求項５によれば、請求項１〜４のいずれかに記載のインターホン親機を含むので、請求項１〜４のいずれかの効果を発揮する集合住宅用インターホンシステムを提供できる。
【発明を実施するための最良の形態】
【００１８】
以下に、本発明の実施の形態について説明する。
【実施例１】
【００１９】
図１は、本発明のインターホン親機の基本動作説明図、図２は、本発明のインターホン親機の概略外観を示す姿図である。
【００２０】
これらの図において、表示操作部１は、複数のファンクションキー２Ａ〜２Ｃと、これに対応させた機能表示部３Ａ〜３Ｃと、メイン画面４と、防犯システムをセット、リセットするセット／解除釦６と、警報復旧釦１１と、音響停止釦１２と、火災確認釦１３と、非常釦１４とを設けている。また、表示操作部１の他、スピーカＳＰ、通話灯Ｌを有した通話釦５を設けている。
【００２１】
なお、表示部４は、ブラックフェイス面を有しており、住戸内の消費電力をバー表示している。
【００２２】
待機状態では、機能表示部３Ａ〜３Ｃには何も表示されておらず、通話釦５を操作するか、インターホンシステムを構成する他の通話端末器から呼出を受けたときには、以下のように表示が現れる。
【００２３】
待機状態で通話釦５を操作したときには、呼出通話モードが実行される。すなわち、機能表示部３Ａ〜３Ｃには、呼出通話の可能な機能項目として、管理呼、室内呼、玄関呼がそれぞれ表示される。
【００２４】
このとき、ファンクションキー２Ａを操作して管理呼を選択すれば、管理室の警報監視盤を呼出制御し、ファンクションキー２Ｂを操作すれば室内機を呼出制御し、ファンクションキー２Ｃを操作すればドアホン子器を呼出制御する。
【００２５】
例えば、管理呼に対応するファンクションキー２Ａを操作したときには、管理呼を表示し管理室の警報監視盤を呼出制御する。このとき、他の「室内呼」、「玄関呼」は消灯する。
警報監視盤での応答があったときには、管理呼の表示を停止し、代わりに、呼出に対して実行可能な制御項目として、「音量」を表示する。
【００２６】
このとき、対応するファンクションキー２Ａを操作すれば、音量の制御指令が受け付けられてスピーカＳＰから出力される音声の音量大、音量標準の２段階に調節できる。
【００２７】
一方、待機状態で他の通話端末器の呼出を検知したときには、応答通話モードが実行されて、以下のように表示が遷移する。以下、ロビーインターホン（カメラ付き）からの呼出を検知した後の表示態様について説明する。
ロビーインターホン（カメラ付き）からの呼出を検知したときには、メイン画面４に呼出元（ロビー１）を表示するとともに、その呼出に対して実行可能な制御項目として、機能表示部３Ｃに「解錠」を表示する。
ファンクションキーＦ３を押し下げると、解錠の制御指令が受け付けられて、共同玄関の電気錠が解錠され５秒後に呼出状態が終了する。
通話釦５を操作して応答をすれば、その呼出に対して実行可能な制御項目として、機能表示部３Ａ，３Ｂにはそれぞれ、「音量」、「引き取り」が表示される。
ファンクションキーＦ２を操作したときには、引き取りの制御指令が受け付けられて、「プルプル」音を呼出元に出力させて呼出元を撃退する。なお、ファンクションキーＦ１を操作したときの動作は前述の通りである。
また、セット／解除釦６を操作すれば、防犯システムのセット、リセットができる。防犯システムのセット、リセットは以下の２種類のモードが実行できる。
暗証番号なしモードはセット／解除釦６を操作して防犯システムをセットでき、再度、セット／解除釦６を操作して防犯システムをリセットできる。
一方、暗証番号モードはセット／解除釦６を操作して防犯システムをセットできるが、再度、セット／解除釦６を操作すると、メイン表示部４には暗証番号を要求するメッセージが表示される。
このとき、機能表示部３Ａ〜３Ｃのそれぞれに、「１」〜「３」の数字を表示させる。所定時間内にファンクションキー２Ａ〜２Ｃを操作して暗証番号を入力するとメッセージが消去され、防犯システムをリセットできる。
しかし、所定時間内に暗証番号が入力されない場合には防犯システムは解除されず、入力された暗証番号に誤りがあればエラー表示がされる。
なお、暗証番号は予め登録しておくが、インターホン親機Ａ内部に設けたロータリースイッチや、ディップスイッチを操作して登録しておく。
【００２８】
図３は呼出通話モードの基本動作説明図であり、図４は呼出通話モードの基本動作を示すフローチャート（１００〜１１７）である。
【００２９】
待機状態で通話釦５が操作されたときには、呼出通話モードを実行して、呼出通話の可能な機能項目として、機能表示部３Ａから３Ｃにそれぞれ、「管理呼」、「室内呼」、「玄関呼」を緑色で点灯する。
【００３０】
ここに、待機状態で他の通話端末器からの呼出を検知したときには、応答通話モードを実行する。
【００３１】
その後、ファンクションキー２Ａが操作されたときには警報監視盤を呼出制御する。このとき、「管理呼」の緑色点灯のみを継続させたまま、通話灯Ｌを黄色点滅させ、スピーカＳＰから管理呼音「ポロロン」を鳴動させる。
【００３２】
また、ファンクションキー２Ｂが操作されたときには全ての室内機を呼出制御する。このとき、「室内呼」の緑色点灯のみを継続させたまま、通話灯Ｌを緑色点灯させ、スピーカＳＰから室内呼音「プー」を鳴動させる。
【００３３】
その後、所定時間（例えば１０秒間）は全ての室内機と通話路が形成され通話可能にされている。１０秒経過後には通話路が遮断され、全室内機を呼出する。このとき、「室内呼」の緑色点灯は継続させたまま、通話灯５を点灯から点滅に代える。
【００３４】
その後、所定時間内に、呼び出した警報監視盤あるいは室内機で応答操作があったときには、「管理呼」、あるいは、「室内呼」の表示に代えて、その呼出に対して実行可能な制御項目として、「音量」を緑色点灯させ、通話灯Ｌを点滅から点灯に代え、相手方との通話路を形成する。その後、再度通話釦５が操作されると通話路を遮断して、呼出通話モードを終了する。
【００３５】
なお、警報監視盤あるいは室内機を呼出制御した後、所定時間内に応答がなければ呼出制御を終了させ、呼出通話モードを終了する。
【００３６】
一方、ファンクションキー３Ｃが操作されたときには、通話灯Ｌを赤色点灯させるとともに、ドアホン子器との通話路を形成する。
【００３７】
このとき、メイン画面４には玄関ピクトを表示させるとともに、機能表示部３Ａから３Ｃの「管理呼」、「室内呼」、「玄関呼」の各点灯を消去して、代わりに、その呼出に対して実行可能な制御項目として、「音量」、「引き取り」を緑色点灯させる。
【００３８】
その後、再度通話釦５が操作されると通話路を遮断して、呼出通話モードを終了する。
【００３９】
図５は応答通話モードの基本動作説明図であり、図６は呼出通話モードの基本動作を示すフローチャート（２００〜２３１）である。
【００４０】
待機状態において、他の通話端末器からの呼出を検知したときには呼出元を判別する。
【００４１】
ドアホン子器からの呼出の場合には、機能表示部３Ａ〜３Ｃのいずれかに、呼出元として「玄関」を赤色点滅させながら呼出音「ピンポン」を出力する。
【００４２】
これに応答して通話釦５を操作すると呼出音を停止して通話路を形成し、機能表示部３Ａ〜３Ｃのいずれかに表示された玄関表示を消去し、代わりに、その呼出に対して実行可能な制御項目として、「音量」、「引き取り」を緑色点灯させ、メイン画面４に玄関ピクトを点灯させ、通話灯Ｌを赤色点灯させる。
【００４３】
その後、再度通話釦５を操作すれば、通話路を遮断して応答通話モードを終了する。
【００４４】
また、ロビーインターホン（カメラ付き）からの呼出の場合には、その呼出に対して実行可能な制御項目として、機能表示部３Ａ〜３Ｃのいずれかに「解錠」を緑色点灯させる。また、通話灯Ｌを赤色点滅させ、メイン画面４にロビー灯を点滅させ、呼出音「ポロロン」を出力させる。このとき、図示しないモニタ画面には来客の映像が表示される。
【００４５】
その後、所定時間の間、呼出音の出力と来客映像の表示を継続し、所定時間内にファンクションキーＦ１が操作されたときには、解除の制御指令が受け付けられて、解錠信号を出力して共同玄関の電気錠を解錠させ、ファンクションキーＦ１の操作後、別の所定時間（例えば５秒）経過すると、呼出音出力、「解錠」点灯、来客映像の表示、ロビー灯点滅を停止させる。
【００４６】
また、所定時間内に、通話釦５が操作されたときには、呼出音出力を停止させて通話路を形成し、ロビー灯と通話灯Ｌとを点滅から点灯に代えて、機能表示部３Ａ〜３Ｃにそれぞれ、その呼出に対して実行可能な制御項目として、「音量」、「引き取り」、「解錠」を緑色点灯させ、通話灯５の点滅を点灯に代える。その後、再度通話釦５を操作すれば、通話路を遮断して応答通話モードを終了する。
【００４７】
更に、ロビーインターホン（カメラなし）からの呼出の場合には、メイン画面４にロビー灯を点灯させ、通話灯Ｌを赤色点滅させ、呼出音「ポロロン」を出力させる。
【００４８】
その後、所定時間内に通話釦５が操作されると、ロビー灯と通話灯Ｌとを点滅から点灯に代えて、機能表示部３Ａ〜３Ｃのそれぞれに、その呼出に対して実行可能な制御項目として、「音量」、「引き取り」、「解錠」を緑色点灯させる。その後、再度通話釦５を操作すれば、通話路を遮断して応答通話モードを終了する。
【００４９】
更に、警報監視盤、室内機からの呼出の場合には、以下のように動作する。
【００５０】
警報監視盤からの呼出の場合には、通話灯Ｌを黄色点滅させ、呼出音「ポロロン」を出力させる。その後、所定時間内に、通話釦５を操作すれば、通話路が形成され、機能表示部３Ａ〜３Ｃのいずれかに、その呼出に対して実行可能な制御項目として「音量」を緑色点灯させ、通話灯Ｌを点滅から点灯に代える。再度通話釦５が操作されたら通話路を遮断し、応答通話モードを終了する。
【００５１】
室内機からの呼出の場合には、通話灯Ｌを緑色点滅させ、呼出音「プー」を出力させる。その後、所定時間内に通話釦５を操作すれば通話路が形成され、機能表示部３Ａ〜３Ｃのいずれかに、その呼出に対して実行可能な制御項目として「音量」を緑色点灯させ、通話灯Ｌを点滅から点灯に代える。再度通話釦５が操作されたときには通話路を遮断し、応答通話モードを終了する。
【００５２】
なお、システム内の通話路のチャンネル数には制限があるため、呼出元の通話端末器との通話路が形成されてから所定時間経過後には自動的に応答通話モードを強制終了するようにしており、通話終了１０秒前など、ある時間となればスピーカＳＰから「ピッピッ」音を出力し、通話灯Ｌを点灯から点滅に代えるようにしている。また、そのときに、通話釦５を操作することにより通話延長できるようになっている。
【００５３】
この場合、通話延長のできる回数を予め制限するようにしてもよい。
【００５４】
図７は、本発明のインターホン親機の概略基本構成を示すブロック図である。
【００５５】
このインターホン親機Ａは、ファンクションキー２Ａ〜２Ｃ、通話灯Ｌ、通話釦５、セット／解除釦６を有する操作表示部１、機能表示部３Ａ〜３Ｃ、ＣＰＵ７、この親機Ａの制御プログラムや、他の通話端末器やセキュリティセンサ、ドアホン子器を接続付加するためのインタフェース８、他の通話端末器、セキュリティセンサ、ロビーインターホンなどの識別コード、端末器の種別を予め登録しておく記憶部９、マイクＭＩとスピーカＳＰとを有し、システム内の他の通話端末器とのハンズフリー通話を可能とするインターホン回路１０とを備えている。
【００５６】
図８は、本発明の集合住宅用インターホンシステムの概略基本構成を示す系統図である。本発明は集合住宅の他、ビル、会社などにおいても適用できることはいうまでもない。
【００５７】
インターホン親機Ａには、モニタ画面を有するモニタテレビユニットＢが接続付加されている。なお、インターホン親機Ａは、メイン画面４をモニタ画面で構成したモニタテレビ一体型インターホン親機であってもよい。
また、インターホン親機Ａには、室内機Ｃ、玄関先に設置されたドアホン子器Ｄ、管理センターに設置された警報監視盤Ｅ、防犯センサあるいは火災センサで構成されるセキュリティセンサＦがワイヤレスあるいは有線接続されている。
【００５８】
警報監視盤Ｅには、共同玄関に設置したロビーインターホンＧ、電気錠制御装置Ｈを接続している。
【００５９】
インターホン親機Ａは、警報監視盤Ｅ、室内機Ｃ、ドアホン子器Ｄを選択的に呼出通話でき、警報監視盤Ｅ、室内機Ｃ、ドアホン子器Ｄからの呼出に対して応答通話できる。なお、ドアホン子器Ｄはカメラ付ドアホン子器であってもよい。
【００６０】
また、共同玄関やエントランスなどに設置したロビーインターホンＧからの呼出に対しては解錠信号を電気錠制御装置Ｈに出力して、共同玄関の電気錠を解錠させることができる。
【００６１】
セキュリティセンサＦから検知信号を受信したときには、防犯システムがセットされていれば、警報を出力する。
【図面の簡単な説明】
【００６２】
【図１】本発明のインターホン親機の基本動作説明図
【図２】本発明のインターホン親機の概略外観を示す姿図
【図３】呼出通話モードの基本動作説明図
【図４】呼出通話モードの基本動作を示すフローチャート
【図５】応答通話モードの基本動作説明図
【図６】応答通話モードの基本動作を示すフローチャート
【図７】本発明のインターホン親機の概略基本構成を示すブロック図
【図８】本発明の集合住宅用インターホンシステムの概略基本構成を示す系統図
【符号の説明】
【００６３】
Ａ  インターホン親機
Ｃ  室内機
Ｄ  ドアホン子器
Ｅ  警報監視盤
Ｆ  セキュリティセンサ
Ｇ  ロビーインターホン
１  表示操作部
２Ａ〜２Ｃ  ファンクションキー
３Ａ〜３Ｃ  機能表示部
５  通話釦
６  セット／解除釦
７  ＣＰＵ
【図１】
2007251804.tif 000003
【図２】
2007251804.tif 000004
【図３】
2007251804.tif 000005
【図４】
2007251804.tif 000006
【図５】
2007251804.tif 000007
【図６】
2007251804.tif 000008
【図８】
2007251804.tif 000009
【図７】
2007251804.tif 000010